(57)【要約】  ａ）アクリル酸主鎖とアルコキシル化側鎖とを含むポリマーであって、ポリマーは約４，０００〜約２２，０００の分子量を有し、ポリマーは約２０重量％〜約５０重量％のアルキレンオキシドを含む、ポリマー、及びｂ）低起泡性非イオン性界面活性剤、を含むすすぎ補助剤組成物。【特許請求の範囲】
【請求項１】
ａ）アクリル酸主鎖とアルコキシル化側鎖とを含むポリマーであって、前記ポリマーは、約４，０００〜約２２，０００の分子量を有し、前記ポリマーは約２０重量％〜約５０重量％のアルキレンオキシドを含む、ポリマー、及び
ｂ）低起泡性非イオン性界面活性剤を含み、
み、
ｃ）前記ポリマーは好ましくはグラフトポリマーである、すすぎ補助剤組成物。
【請求項２】
前記組成物が１〜７のｐＨを有する、請求項１に記載のすすぎ補助剤組成物。
【請求項３】
酸を更に含む、請求項１に記載のすすぎ補助剤組成物。
【請求項４】
前記酸が、硝酸、酢酸、ギ酸、グルコン酸、グルタミン酸、リンゴ酸、硝酸、硫酸及びこれらの混合物からなる群から選択される、請求項３に記載のすすぎ補助剤組成物。
【請求項５】
微粒子亜鉛含有物質を更に含む、請求項１〜４のいずれか一項に記載のすすぎ補助剤組成物。
【請求項６】
前記微粒子亜鉛含有物質が、アルミン酸亜鉛、炭酸亜鉛、酸化亜鉛及びこれらの混合物からなる群から選択される、請求項５に記載のすすぎ補助剤組成物。
【請求項７】
前記アクリル酸ポリマーが３０重量％〜４５重量％のアルキレンオキシドを含み、ここで、前記アルキレンオキシドが好ましくはエチレンオキシド又はプロピレンオキシドである、請求項１〜６のいずれか一項に記載のすすぎ補助剤組成物。
【請求項８】
前記アルコキシル化側鎖が、１０〜５５個のＡＯ単位、好ましくは２０〜５０個のＡＯ単位を含む、請求項１に記載のすすぎ補助剤組成物。
【請求項９】
ヒドロトロープを更に含む、請求項１に記載のすすぎ補助剤組成物。
【請求項１０】
結合剤を更に含む、請求項１に記載のすすぎ補助剤組成物。
【請求項１１】
ａ）パッケージと、
ｂ）使用説明書と、
ｃ）自動食器洗浄における使用に好適なすすぎ補助剤組成物と、を含む、キットであって、前記すすぎ補助剤組成物は、
ｉ．アクリル酸主鎖とアルコキシル化側鎖とを含むポリマーであって、前記ポリマーは、約４，０００〜約２２，０００の分子量を有し、前記ポリマーは約２０重量％〜約５０重量％のアルキレンオキシドを含む、ポリマー、
ｉｉ．酸、
ｉｉｉ．非イオン性界面活性剤、並びに、
ｉｖ．選択的に以下のもの、すなわち分散剤ポリマー、香料、ヒドロトロープ、結合剤、キャリア媒質、抗菌活性物質、染料、及びこれらの混合物、のうちの少なくとも一つを含む、キット。
【発明の詳細な説明】
【技術分野】
【０００１】
本発明は、水溶性のアルコキシル化アクリル酸ポリマーを含有する、自動食器洗浄機で使用するためのすすぎ補助剤組成物を目的とする。
【背景技術】
【０００２】
従来の、リン酸塩を含有する、より具体的にはトリポリリン酸ナトリウム（ＳＴＰＰ）を含有する自動食器洗浄洗剤配合物は、通常の食器洗浄並びに食器の被膜形成及び斑点形成の回避に有効であることが証明されていた。自動食器洗浄洗剤からリン酸塩系ビルダーを除去することを要求する近年の法規則は、多数の配合における困難を作り出した。ＳＴＰＰに対する一部の代替物は比較的有効な洗浄性を示しているが、これらは、斑点形成及び／又は被膜形成に関しては最適なものではない傾向がある。
【０００３】
斑点形成及び被膜形成を相殺するために、配合物には、汚れ及び洗浄水中の沈殿物が食器上に再付着するのを防止するよう設計された、スルホン化分散剤ポリマー、及び他の添加剤を加えた、リン酸塩不含組成物が添加された。しかしながら、洗浄時に全ての基材が同じ結果を示すわけではないことが判明している。例えば、一部の配合物は、ガラス上の斑点形成を防止することができるものの、プラスチック上の被膜形成に関しては性能が貧弱である場合がある。したがって、リン酸系洗浄製品無しでは、食器上の被膜形成及び斑点形成を防止するのは困難であることが判明している。
【発明の概要】
【発明が解決しようとする課題】
【０００４】
以上に基づき、リン酸含有要素無しでも被膜形成及び斑点形成を許容可能なものにできるすすぎ補助剤が必要とされている。
【課題を解決するための手段】
【０００５】
本発明は、アクリル酸主鎖とアルコキシル化側鎖とを含むポリマーであって、ポリマーは約４，０００〜約２２，０００の分子量を有し、ポリマーは約２０重量％〜約５０重量％のアルキレンオキシドを含む、ポリマー、及び低起泡性非イオン性界面活性剤を含むすすぎ補助剤組成物に関する。
【発明を実施するための形態】
【０００６】
本明細書は、本発明を具体的に指摘しかつ明確に主張する特許請求の範囲を結論とするが、以下の説明により、本発明がよりよく理解されるであろうと考えられる。
【０００７】
百分率、部及び比は全て、特に指定のない限り、組成物の総重量に基づく。記載の成分に関する、このような全ての重量は、その活性物質の濃度に基づくものであり、そのため特に指示のない限り、市販材料に含まれ得る溶媒、又は副生成物を含まない。用語「重量百分率」は、本明細書では「重量％」として表示されてもよい。
【０００８】
特に指示のない限り、本明細書で使用するとき、全ての分子量は、グラム／モルで表される重量平均分子量である。
【０００９】
用語「自動食器洗浄組成物」は、食器洗浄を目的に自動食器洗浄機にその主洗浄サイクル中に導入される組成物を意味する。
【００１０】
本明細書で使用するとき、用語「グラフトポリマー」は、原子からなる主鎖に主鎖のものとは異なる原子又は基を含有する側鎖が様々な位置にて結合した分子を含むポリマーを意味する。主鎖はコポリマーであってもよく、あるいは、単一モノマーから誘導されてもよい。
【００１１】
本明細書で使用するとき、用語「リン酸塩無し」又は「リン酸塩ビルダーを実質的に含まない」は、自動食器洗浄組成物が非常に低濃度のリン酸塩しか含まないことを意味し、好ましくはリン酸塩を全く含まないことを意味する。リン酸塩が組成物中に存在する場合、リン酸塩はビルダーとして含まれていないことが好ましい。
【００１２】
用語「すすぎ補助剤組成物」は、防腐目的、抗被膜形成目的、抗斑点形成目的及びこれらに類する目的のために、自動食器洗浄機にそのすすぎサイクル中に導入される組成物を意味する。
【００１３】
水溶性のアルコキシル化アクリル酸ポリマー
すすぎ補助剤組成物は、水溶性のアルコキシル化アクリル酸ポリマーを含む。このポリマーは、約４，０００〜約２２，０００、又は約５，０００〜約１５，０００、又は約６，０００〜約１３，０００の分子量を有するべきである。ポリマーのアルキレンオキシド（ＡＯ）成分は、通常、プロピレンオキシド（ＰＯ）又はエチレンオキシド（ＥＯ）であり、通常、ポリマーの約２０重量％〜約５０重量％、又は約３０重量％〜約４５重量％、又は約３０重量％〜約４０重量％を構成する。水溶性ポリマーのアルコキシル化側鎖は、約１０〜約５５個のＡＯ単位、又は約２０〜約５０個のＡＯ単位、又は約２５〜５０個のＡＯ単位を含み得る。水溶性ポリマーは、ランダム、ブロック、グラフト又は他の既知の構成で構成され得る。アルコキシル化アクリル酸ポリマーの形成方法は、米国特許第３，８８０，７６５号に開示されている。水溶性ポリマーは、すすぎ補助剤組成物の約１重量％〜約３０重量％を構成すべきである。あるいは、水溶性ポリマーは、すすぎ補助剤組成物の約５重量％〜約２５重量％、又は約１０重量％〜約２０重量％を構成する。
【００１４】
本明細書の水溶性ポリマーは、すすぎ補助添加剤としてすすぎ補助剤組成物に組み込まれたとき、抗斑点形成及び抗被膜形成効果をもたらす。理論に制限されるものではないが、水溶性ポリマーは、強力なカルシウムイオン結合性を有し、一方で、水硬度耐性を有する。本明細書で使用するとき、「水硬度耐性」を有するポリマーは、カルシウムイオンに結合しても水から容易に沈殿しない。
【００１５】
水溶性ポリマーは、水溶性ポリマーと基材表面との間にカルシウムイオン架橋を形成することにより、基材上に、特にガラス上に単層を形成するとも考えられている。水溶性ポリマーのＡＯ鎖は基材表面から伸び、基材表面上への更なる付着を防止するとも考えられている。
【００１６】
水溶性ポリマーがすすぎサイクルに関して特定の効果をもたらすので、一実施形態では、本組成物は、ビルダーを実質的に含まない。更に別の実施形態では、本組成物は、リン酸塩無しである。
【００１７】
酸
本明細書の組成物は、更に酸を含んでもよい。任意の好適な量の任意の好適な有機及び／又は無機酸が、すすぎ補助剤組成物及び／又は製品に使用され得る。一部の好適な酸としては、酢酸、アスパラギン酸、安息香酸、ホウ酸、臭素酸、クエン酸、ギ酸、グルコン酸、グルタミン酸、乳酸、リンゴ酸、硝酸、スルファミン酸、硫酸、酒石酸及びこれらの混合物からなる群から選択される酸が挙げられるが、これらに限定されるものではない。
【００１８】
液体すすぎ補助剤組成物の場合、酸をすすぎ補助剤組成物に加えると、水溶性金属塩が本組成物中に少なくとも部分的に溶解できるようになる。酸はまた、すすぎサイクル中の硬質表面上への沈殿を少なくともある程度は低減させるのを助ける。酸はまた、使用前に製品中の沈殿に対して液体すすぎ補助剤組成物を安定させ得る。
【００１９】
固体すすぎ補助剤組成物の場合、酸をすすぎ補助剤組成物に加えると、水溶性金属塩は、いったん遊離して、自動食器洗浄装置の洗浄及び／又はすすぎ液の中に迅速に少なくともある程度溶解し、その結果、硬質表面（例えば、食卓食器類、ガラス、食器及び／又は自動食器洗浄装置の内部の構成要素）上に不溶性物質が生じる及び／又は付着するのを防止できるようになる。
【００２０】
ｐＨ
すすぎ補助剤組成物は、任意の好適な酸性ｐＨ範囲内で配合され得る。ｐＨは、任意の形態のすすぎ補助剤組成物に関し、水溶液中１％の濃度にて測定される。
【００２１】
好適なｐＨは、約１〜約６未満、あるいは約１〜約５、あるいは約１〜約４の範囲である。ｐＨ範囲は低いほど、使用前に自動食器洗浄装置のすすぎ補助剤ディスペンサーリザーバに残っている既存の市販のすすぎ補助剤製品残部とすすぎ補助剤組成物の不相溶性及び負の相互作用を低減する傾向を有する。
【００２２】
一つの非限定的実施形態では、すすぎ補助剤組成物のｐＨは、約１〜約５未満の範囲にあり得る。
【００２３】
非イオン性界面活性剤
任意の好適な量の任意の好適な非イオン性界面活性剤を使用して、本すすぎ補助剤組成物を作製してもよい。好適な非イオン性界面活性剤としては、低起泡性非イオン性界面活性剤（ＬＦＮＩ）が挙げられるが、これに限定されない。ＬＦＮＩは、これらがすすぎ補助剤製品に付与する（特にガラス食器から）水を広げる動きの改善を目的として、自動食器洗浄組成物中に最も典型的に使用される。これらは、また、本明細書で後に更に例示される、非シリコーン、リン酸塩又は非リン酸塩高分子物質を包含してもよく、これらは自動食器洗浄で遭遇する食物の汚れを変形させる（defoam）ことが知られている。
【００２４】
一つの非限定的実施形態では、ＬＦＮＩとしては、非イオン性アルコキシル化界面活性剤、特に一級アルコールから誘導されるエトキシレート、及びこれらとポリオキシプロピレン／ポリオキシエチレン／ポリオキシプロピレンリバースブロックポリマーのようなより高級な界面活性剤とのブレンドを挙げることができるが、これらに限定されない。要件を満たす好適なブロックポリオキシエチレン−ポリオキシプロピレン高分子化合物としては、反応開始剤反応性水素化合物としてエチレングリコール、プロピレングリコール、グリセロール、トリメチロールプロパン及びエチレンジアミン及びこれらの混合物に基づくものを挙げてもよい。Ｃ12〜18脂肪族アルコールなどの、単一の反応性水素原子を有する反応開始剤化合物の連続的エトキシル化及びプロポキシル化により製造された高分子化合物は、通常、すすぎ補助剤組成物に満足のいく泡抑制をもたらさない。しかしながら、ＢＡＳＦ−Ｗｙａｎｄｏｔｔｅ  Ｃｏｒｐ．（Ｗｙａｎｄｏｔｔｅ，Ｍｉｃｈｉｇａｎ）によりＰＬＵＲＯＮＩＣ（登録商標）及びＴＥＴＲＯＮＩＣ（登録商標）と表記される特定のブロックポリマー界面活性剤化合物は、すすぎ補助剤組成物において好適である。
【００２５】
別の非限定実施形態では、ＬＦＮＩは、１７モルのエチレンオキシドと４４モルのプロピレンオキシドとを含有するポリオキシエチレンとポリオキシプロピレンのリバースブロックコポリマーをブレンドの約７５重量％含み、トリメチロールプロパン１モル当たり９９モルのプロピレンオキシドと２４モルのエチレンオキシドとを含有するトリメチロールプロパンで開始されたポリオキシエチレンとポリオキシプロピレンのブロックコポリマーをブレンドの約２５重量％含む、ポリオキシプロピレン／ポリオキシエチレン／ポリオキシプロピレンブロックポリマーブレンドを約４０重量％〜約７０重量％含有し得る。
【００２６】
別の非限定的実施形態では、すすぎ補助剤組成物は、エトキシル化一価アルコール又はアルキルフェノールを含んでもよく、ポリオキシエチレン、ポリオキシプロピレンブロック高分子化合物を更に含み、ＬＦＮＩのエトキシル化一価アルコール又はアルキルフェノールの部分は、ＬＦＮＩ全体の約２０％〜８０％、あるいは約３０％〜約７０％を構成する。
【００２７】
ＬＦＮＩは、任意で、プロピレンオキシドを約１５重量％までの量で含有することができる。他の代替的ＬＦＮＩ界面活性剤は、１９８０年９月１６日発行の米国特許第４，２２３，１６３号（Ｂｕｉｌｌｏｔｙ）に記載のプロセスにより調製することができる。
【００２８】
ＬＦＮＩは、一価アルコールと、又は環状炭素原子を除く約８〜約２０個の炭素原子を含有するアルキルフェノールと、平均的に１モルのアルコール又はアルキルフェノール当たり約６〜約１５モルのエチレンオキシドとの反応から誘導されるエトキシル化界面活性剤であってもよい。
【００２９】
ＬＦＮＩは、アルコール１モル当たり平均約６〜約１５モル、又は約７〜約１２モル、あるいは約７〜約９モルのエチレンオキシドと縮合された、約１６〜約２０個の炭素原子を含有する直鎖脂肪族アルコール（Ｃ16〜Ｃ20アルコール）、あるいはＣ18アルコールから誘導されてもよい。あるいは、このように誘導されたエトキシル化非イオン性界面活性剤は、平均と比べると狭いエトキシレート分布を有する。
【００３０】
比較的低い曇点及び高い親水性−親油性バランス（ＨＬＢ）を有するＬＦＮＩは、すすぎ補助剤中でＬＦＮＩとして使用するのに好適である。１％水溶液の曇点は、あらゆる範囲の水温で泡立ちを最適に制御するために、典型的には約３２℃未満であり、あるいはより低く、例えば０℃である。
【００３１】
ＬＦＮＩは、例えば、すすぎ補助剤組成物の約０．０１重量％〜約６０重量％、あるいは約０．０１重量％〜約５０重量％、あるいは約０．０１重量％〜約４０重量％の範囲の量で存在してもよい。
【００３２】
一つの非限定的実施形態では、すすぎ補助剤組成物は、３０℃よりも低い曇点を有する低起泡性非イオン性界面活性剤を組成物の約０．０１重量％〜約６０重量％含む。別の非限定的実施形態では、界面活性剤は、アルキル末端保護された非イオン性のＣ9/11ＥＯ8−シクロヘキシルアセタール、Ｃ11ＥＯ7−ｎ−ブチルアセタール、Ｃ9/11ＥＯ8−２−エチルヘキシルアセタール、Ｃ11ＥＯ8−ピラニル、アルコキシル化アルコール及びこれらの混合物からなる群から選択される低曇点非イオン性界面活性剤であってもよい。
【００３３】
別の非限定実施形態では、ＬＦＮＩは、Ｏｌｉｎ  Ｃｏｒｐ（商標）からＳＬＦ１８（登録商標）として市販されている、約８のエトキシル化度を有するＣ18アルコールポリエトキシレートを含んでもよい。任意の生分解性ＬＦＮＩ及びその混合物は、本明細書で上記で説明された融点特性を有する。
【００３４】
微粒子亜鉛含有物質（ＰＺＣＭ）
本組成物はまた、微粒子亜鉛含有物質（ＰＺＣＭ）を含んでもよい。ＰＺＣＭは、配合された組成物内でほとんど不溶性のままである。非限定的実施形態において有用なＰＺＣＭの例としては、以下が挙げられる：
【００３５】
無機物質：アルミン酸亜鉛、炭酸亜鉛、酸化亜鉛及び酸化亜鉛含有物質（すなわち、カラミン）、リン酸亜鉛（すなわち、オルトリン酸塩及びピロリン酸塩）、セレン化亜鉛、硫化亜鉛、ケイ酸亜鉛（すなわち、オルト−及びメタ−ケイ酸亜鉛）、ケイフッ化亜鉛、ホウ酸亜鉛、水酸化亜鉛及びヒドロキシ硫酸亜鉛、亜鉛含有層状物質、並びにこれらの混合物。
【００３６】
天然の亜鉛含有物質／鉱石及び鉱物：スファレライト（閃亜鉛鉱）、ウルツ鉱、菱亜鉛鉱、フランクリン鉄鉱、紅亜鉛鉱、ケイ酸亜鉛鉱、トルースタイト、異極鉱、及びこれらの混合物。
【００３７】
有機塩：脂肪酸亜鉛塩（すなわち、カプロエート、ラウレート、オレエート、ステアレートなど）、アルキルスルホン酸の亜鉛塩、ナフテン酸亜鉛、酒石酸亜鉛、タンニン酸亜鉛、フィチン酸亜鉛、ジンクモノグリセロールエート（zinc monoglycerolate）、ジンクアラントインエート（zinc allantoinate）、尿酸亜鉛、アミノ酸亜鉛塩（すなわち、メチオネート、フェニルアリナート（phenylalinate）、トリプトファナート、システイナートなど）、及びこれらの混合物。
【００３８】
高分子塩：ポリカルボン酸亜鉛（すなわち、ポリアクリレート）、ポリ硫酸亜鉛、及びこれらの混合物。
【００３９】
物理的吸着形態：亜鉛負荷イオン交換樹脂、粒子表面上に吸着した亜鉛、亜鉛塩が組み込まれた複合粒子（すなわちそれらの核／殻又は集合体形態として）及びこれらの混合物。
【００４０】
亜鉛塩：シュウ酸亜鉛、タンニン酸亜鉛、酒石酸亜鉛、クエン酸亜鉛、酸化亜鉛、炭酸亜鉛、水酸化亜鉛、オレイン酸亜鉛、リン酸亜鉛、ケイ酸亜鉛、ステアリン酸亜鉛、硫化亜鉛、ウンデシレン酸亜鉛及びこれらに類するもの、及びこれらの混合物。
【００４１】
市販の酸化亜鉛源としては、Ｚ−Ｃｏｔｅ及びＺ−Ｃｏｔｅ  ＨＰＩ（ＢＡＳＦ）、並びにＵＳＰ  Ｉ及びＵＳＰ  ＩＩ（Ｚｉｎｃ  Ｃｏｒｐｏｒａｔｉｏｎ  ｏｆ  Ａｍｅｒｉｃａ）が挙げられる。
【００４２】
ＰＺＣＭは、すすぎ補助組成物に多くの効果をもたらす。これらの効果をもたらすには、通常は、Ｚｎ2+イオンが溶解しなくても化学的に利用可能であることが必要とされる。これは、「亜鉛不安定性」と呼ばれる。ＰＺＣＭの特定の物理的特性は、亜鉛不安定性に影響を与える可能性を有する。一実施形態では、ＰＺＣＭは、ガラス食器表面に少なくともいくらかのガラス食器表面腐食保護をもたらす。この及び他のＰＺＣＭに関連する具体的効果は、米国特許第７，２４１，７２６号に記載されている。
【００４３】
香料
任意の好適な量の任意の好適な香料を使用して、本すすぎ補助剤組成物を作製してもよい。香料は、すすぎ補助組成物の、並びに、自動食器洗浄操作中の、匂い特性の改善に有用である。
【００４４】
香料は、例えば、香料組成物の約０．０１％〜約５％、あるいは約０．１％〜約３％、あるいは約０．１％〜約２％の量で存在し得る。このすすぎ補助剤組成物中で使用するのに好適な香料は、非芳香性香料並びに芳香性香料として分類され得る。
【００４５】
以下の参考文献が広範な香料を開示している：米国特許第３，９８３，０７９号；同第４，１０５，５７３号；同第４，２１９，４３６号；同第４，３３９，３５６号；同第４，５１５，７０５号；同第４，７１４，５６２号；同第４，７４０，３２７号；同第４，９３３，１０１号；同第５，０６１，３９３号；同第５，０６６，４１９号；同第５，１５４，８４２号；同第５，２３２，６１３号；同第５，５００，１５４号；同第５，６７０，４７５号；同第６，１４３，７０７号；及び同第６，１９４，３６２号。
【００４６】
ヒドロトロープ
任意の好適な量の任意の好適なヒドロトロープを使用して、本すすぎ補助剤組成物を作製してもよい。好適なヒドロトロープとしては、ベンゼンスルホン酸ナトリウム、トルエンスルホン酸ナトリウム、クメンスルホン酸ナトリウム及びこれらの混合物が挙げられる。
【００４７】
以下の参考文献が広範なヒドロトロープを開示している：米国特許第６，１３０，１９４号；同第５，９４２，４８５号；同第５，４７８，５０３号；同第５，４７８，５０２号；同第６，４８２，７８６号；同第６，２１８，３４５号；同第６，１９１，０８３号；同第６，１６２，７７８号；同第６，１５２，１５２号；同第５，５４０，８６５号；同第５，３４２，５４９号；同第４，９６６，７２４号；同第４，４３８，０２４号；及び同第３，９３３，６７１号。
【００４８】
結合剤
固体すすぎ補助剤組成物を含む実施形態はまた、任意の好適な量で任意の好適な結合剤を含有してもよい。固体すすぎ補助剤組成物の結合剤は、単一の塊の中に複数の乾燥した成分を一緒に保持する。結合剤は、比較的高融点であり、製品一体性を維持する、任意の物質を含み得る。
【００４９】
好適な結合剤としては、非イオン性界面活性剤、ポリエチレングリコール、アニオン性界面活性剤、被膜形成ポリマー、脂肪酸及びこれらの混合物などの物質が挙げられるが、これらに限定されず、ここで、結合剤は、１９８４年１２月４日発行の米国特許第４，４８６，３２７号（Ｍｕｒｐｈｙ  ｅｔ  ａｌ）に開示されているように、４０℃より低い温度では溶融しない。特定の実施形態では、特定の結合剤としては、アルカリ金属リン酸塩、脂肪酸アミド及びこれらの組み合わせが挙げられる。
【００５０】
好適な結合剤は、選択的に、例えば、組成物全体の約０．０５重量％〜約９８重量％、あるいは約０．０５重量％〜７０重量％、あるいは約０．０５重量％〜５０重量％、あるいは約０．０５重量％〜約３０重量％、あるいは約０．０５重量％〜約１０重量％、あるいは０．１重量％〜約５重量％の濃度で、すすぎ補助剤組成物中に組み込まれてもよい。充填剤物質もまたすすぎ補助剤組成物中に存在させることができる。これらは、組成物の０．００１％〜６０％、あるいは５％〜３０％の量でスクロース、スクロースエステル、アルカリ金属塩化物又は硫酸塩を含んでもよい。
【００５１】
キャリア媒質
任意の好適な量の任意の好適なキャリア媒質を使用して、本すすぎ補助剤組成物を作製してもよい。好適なキャリア媒質としては、液体及び固体の両方が挙げられる。キャリア媒質のタイプのいくつかの非限定例が説明のために提供されるが、限定を目的とするものではない。一例では、すすぎ補助剤組成物は、容器内に水性又は非水性液体の形態で提供することができる。別の例では、すすぎ補助剤組成物は、容器内に固体形態で存在してもよく、この固体は水に溶解させることができる。別の例では、すすぎ補助剤組成物は、水で希釈又は溶解できる液体と固体の両方の組み合わせの形態で提供することができる。一つの非限定実施形態では、すすぎ補助剤組成物の形態は、乾燥粉末、顆粒又は錠剤、カプセル化製品及びこれらの組み合わせであることができる。
【００５２】
一つの好適なキャリア媒質は水であり得、これは蒸留水、脱イオン水又は水道水であり得る。水は、そのコストの低さ、入手しやすさ、安全性及び相溶性に起因して、好ましいものであり得る。他の非限定実施形態では、キャリア媒質は、水道水であってもよい。
【００５３】
キャリア媒質が水性であり得る一つの非限定実施形態では、水性キャリアの少なくとも一部は、それを水道水に転化するのに受けた処理の他に浄化され得る（すなわち、水道水は、後処理、例えば、脱イオン化又は蒸留を行われ得る）。更に別の非限定実施形態では、キャリアの少なくとも一部は、少なくとも３．３ｍＭの硬度（カルシウム：マグネシウム＝３：１）を有する硬水であり得る。
【００５４】
選択的に、水に加えて、キャリアは、水に対する可溶性が極めて高い低分子量有機溶媒、例えばエタノール、メタノール、プロパノール、イソプロパノール及びこれらに類するもの、並びにこれらの混合物を含有することができる。低分子量アルコールは、処理された食器及びガラス食器が乾燥するのをより速くすることができる。任意の水溶性低分子量溶媒は、好適なキャリア媒質の、最大約５０重量％の濃度で、典型的には約０．１重量％〜約２５％、あるいは約２重量％〜約１５重量％、あるいは約５重量％〜約１０重量％の濃度で使用することができる。
【００５５】
高濃度の溶媒が好適なキャリア媒質と組み合わされる場合に考えることが必要とされる要素は、匂い、可燃性、分散性及び環境影響である。
【００５６】
すすぎ補助剤組成物はまた「濃縮形態」であることができ、このような場合には、一つの非限定実施形態による濃縮液体すすぎ補助剤組成物は、従来の液体すすぎ補助剤組成物と比較して、より少量の好適なキャリア媒質を含有する。例えば、濃縮系の好適なキャリア媒質成分は、例えば、すすぎ補助剤組成物の約３０重量％〜約９９．９９重量％の量で存在し得る。濃縮系すすぎ補助剤組成物の分散剤成分は、すすぎ補助剤組成物の約０．００１重量％〜約１０重量％の量で存在し得る。
【００５７】
製品形態
すすぎ補助剤組成物は、液体、ゲル、固体、顆粒、粉末及びこれらの組み合わせが挙げられるがこれらに限定されない任意の様々な製品形態で使用され得る。一つの非限定実施形態では、すすぎ補助剤組成物は、過剰な沈殿を生じることなくすすぎ剤に水溶性金属塩を供給するために固体として配合され得る。別の非限定実施形態では、すすぎ補助剤組成物は、固体形態で水溶性金属塩を含み、すすぎサイクルまで組成物の放出を遅らせ得る。
【００５８】
任意の物理形態（例えば、液体、ゲル、固体、顆粒、粉末及びこれらの組み合わせ）のすすぎ補助剤組成物は、水溶性又は水分散性パウチ及びこれらの組み合わせにパッケージ化されて、組成物をすすぎ液に供給してもよい。このすすぎ補助剤組成物は、単位用量形態であることができ、自動食器洗浄装置のすすぎサイクル中に組成物の制御放出（例えば、遅延放出、持続放出、誘発放出又は徐放）を可能にする。
【００５９】
単区画及び多区画水溶性パウチは、使用に好適であり得る。添加剤及び多成分製品の場合、すすぎ補助剤組成物は、同じ物理的形態である必要はない。別の非限定実施形態では、すすぎ補助剤組成物は、他のすすぎ補助剤成分との負の相互作用を最小限にするために、多区画パウチに配合されてもよい。
【００６０】
更に別の実施形態では、使用に好適なすすぎ補助剤組成物は、ボトル（ポンプで補助されたボトル、スクイーズボトル）、ペーストディスペンサー、カプセル、多区画ボトル、多区画カプセル並びに単区画及び多区画水溶性パウチ並びにこれらの組み合わせなどの任意の好適な装置から分注することができる。
【００６１】
別の非限定実施形態では、このすすぎ補助剤組成物は、単位用量形態であることができ、自動食器洗浄装置のすすぎサイクル中に組成物の制御放出（例えば、遅延放出、持続放出、誘発放出又は徐放）を可能にする。単位用量形態では、例えば、すすぎ補助剤組成物は、固体、顆粒、粉末、液体、ゲル及びこれらの組み合わせであってもよく、錠剤として提供されてもよく又は単区画若しくは多区画水溶性パウチに収容されてもよい。
【００６２】
使用方法
一つの非限定実施形態では、洗浄済みガラス食器をすすぐ方法は、（ａ）本明細書に記載の水溶性のアルコキシル化アクリル酸ポリマーと、（ｂ）非イオン性界面活性剤と、（ｃ）選択的に酸と、（ｄ）選択的に、分散剤ポリマー、香料、ヒドロトロープ、結合剤、キャリア媒質、抗菌活性物質、染料、炭酸亜鉛、塩化亜鉛及びこれらの混合物からなる群から選択される少なくとも一つの成分と、を含むすすぎ補助剤組成物を用いて、自動食器洗浄機内で洗浄済みガラス食器をすすぐことを含み得る。すすぎ補助剤組成物は、水溶液中１％濃度にて測定された場合に、約６未満のｐＨを有すべきである。
【００６３】
別の非限定実施形態では、本明細書の水溶性ポリマーをガラス食器のコーティングに使用することが開示される。このように使用することにより、水溶性ポリマーは水溶液中において、単独で又は他の好適な成分を含むすすぎ補助剤組成物の一成分として、ガラス食器に適用され得る。更に、水溶性ポリマーは、自動食器洗浄組成物の一成分として、又は、硬質表面洗浄組成物の一成分として、ガラス食器をコーティングするために使用され得る。
【００６４】
キット
一つの非限定実施形態では、キットは、（ａ）パッケージ、（ｂ）使用説明書、並びに、（ｃ）（ｉ）本明細書に記載の水溶性のアルコキシル化アクリル酸ポリマーと、（ｉｉ）非イオン性界面活性剤と、（ｉｉｉ）選択的に酸と、（ｉｖ）選択的に以下のもの、すなわち分散剤ポリマー、香料、ヒドロトロープ、結合剤、キャリア媒質、抗菌活性物質、染料、及びこれらの混合物、のうちの少なくとも一つと、を含む自動食器洗浄における使用に好適なすすぎ補助剤組成物を含み得る。すすぎ補助剤組成物は、液体、ゲル、固体、顆粒、粉末、及びこれらの組み合わせであってもよく、錠剤として提供されてもよく又は単区画若しくは多区画水溶性パウチに収容されてもよい。
【００６５】
試験方法
重量平均分子量
重量平均分子量（Ｍｗ）は、ＧＰＣ（ゲル透過クロマトグラフィー）により測定される数値を指す。
【００６６】
測定装置：昭和電工株式会社により製造された「Ｓｈｏｄｅｘ  ＳＹＳＴＥＭ−２」。
カラム：これは、昭和電工株式会社により製造された「Ａｓａｈｉｐａｋ  ＧＦ−７１０  ＨＱ」と「Ａｓｈｉｐａｋ  ＧＦ−３１０  ＨＱ」とを並べて接続することにより準備される。
希釈液：０．１Ｎの酢酸ナトリウム／アセトニトリル＝７／３（容積比）
流量：０．５ｍＬ／分
温度：４０℃
検量線：これは、ポリアクリル酸の標準サンプル（双和化学産業株式会社の製品）を用いることにより準備される。
検出器：ＲＩ
【００６７】
非限定的な実施例
以下の実施例に示される組成物は、本発明の組成物の具体的な実施形態を説明したものであるが、これらに限定されない。その他の変更は、本発明の趣旨及び範囲から逸脱することなく、当業者によって実行される。本発明の組成物についてのこれらの例示された実施形態は、硬質表面に関して良好な抗被膜形成性をもたらす。
【００６８】
次の実施例に示された組成物は、従来の配合及び混合方法により調製され、その実施例は以下に記載される。特に規定のない限り、例示した全ての量は、重量パーセントで列記され、希釈剤、防腐剤、着色剤溶液、イメージ成分、植物等の微量物質は除外する。
【００６９】
【表１】
2013512312.tif 000002
【００７０】
特に記載がない限り、構成成分又は組成物の濃度は全て、その構成成分又は組成物の活性レベルに関するものであり、市販の供給源に存在し得る不純物、例えば、残留溶媒又は副生成物は除外される。
【００７１】
百分率及び比率は全て、特に指示しない限り、重量で計算される。百分率及び比率は全て、特に指示しない限り、組成物全体を基準にして計算される。
【００７２】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００７３】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００７４】
「発明を実施するための形態」で引用した全ての文献は、関連部分において本明細書に参考として組み込まれるが、いずれの文献の引用も、それが本発明に関して先行技術であることを容認するものとして解釈されるべきではない。
【００７５】
特定の実施形態について説明し記載したが、本発明の趣旨及び範囲から逸脱することなく他の様々な変更及び修正が可能であることが当業者には自明である。したがって、本発明の範囲内にあるそのような全ての変更及び修正を、添付の「特許請求の範囲」で扱うものとする。
【国際調査報告】
2013512312.tif 000003
2013512312.tif 000004